【手続補正書】
【提出日】平成29年3月21日(2017.3.21)
【手続補正１】
【補正対象書類名】特許請求の範囲
【補正対象項目名】全文
【補正方法】変更
【補正の内容】
【特許請求の範囲】
【請求項１】
鍛造品を多工程成形するための油圧プレスであって、
ベッドとクラウンの間をアプライトで連結したプレスフレームと、
前記アプライトに取付けられたギブブロックと、
前記クラウンに工程順に取付けられた第１サブシリンダ、第２メインシリンダ、第３サブシリンダと、
前記第１サブシリンダに取付けられた第１サブスライド、前記第２メインシリンダに取付けられた第２メインスライド、前記第３サブシリンダに取付けられた第３サブスライドと、
前記第１サブスライドをガイドする第１スライドガイドと、前記第２メインスライドをガイドする第２スライドガイドと、前記第３サブスライドをガイドする第３スライドガイドとを備えており、
前記第２スライドガイドが、前記ギブブロックに設けたガイド部と前記第２メインスライドに設けたガイド部でガイドされるように構成され、
前記第１スライドガイドが、プレス入側における前後のギブブロックに設けたガイド部と前記第１サブスライドに設けたガイド部とでガイドされるように構成され、
前記第３スライドガイドが、プレス出側における前後のギブブロックに設けたガイド部と前記第３サブスライドに設けたガイド部とでガイドされるように構成されている
ことを特徴とする油圧プレス。
【請求項２】
第２スライドガイドは、第２メインスライドの四隅から左右方向に張出して形成されたガイド部を有しており、ギブブロック側のガイド部とで構成するガイド面が、プレス中心と各アプライト中心をつなぐ仮想線に対し略平行な面をもつ張出しＸ型ガイドである
ことを特徴とする請求項１記載の油圧プレス。
【請求項３】
前記第１スライドガイドおよび前記第３スライドガイドは、前記各サブスライドのプレス前後方向における両端部において、それぞれ外端面と該外端面に隣接する両側面の３面からガイドする６個のガイド部を有する対向Ｕ型６面ガイドである
ことを特徴とする請求項１または２記載の油圧プレス。
【請求項４】
前記プレス入側における前後２個のギブブロックおよび前記プレス出側における前後２個のギブブロックが、いずれも一体に構成されたものであり、
前記第１スライドガイドおよび前記第３スライドガイドは、前記各サブスライドのプレス前後方向における両端部において、それぞれ外端面と該外端面に隣接する一側面の２面からガイドするガイド部と、
前記各サブスライドのプレス前後方向に沿う他側面と前記ギブブロックとの間に設けたガイド部からなる対向５面ガイドである
ことを特徴とする請求項１または２記載の油圧プレス。
【請求項５】
前記第１スライドガイドおよび前記第３スライドガイドは、前記各サブスライドのプレス前後方向における両端部において、それぞれ、前記第２スライドガイドにおける張出しＸ型ガイドのガイド面に平行なガイド面を有するガイド部と、該ガイド面に直角なガイド面を有するガイド部からなる対向Ｘ型４面ガイドである
ことを特徴とする請求項２記載の油圧プレス。
【請求項６】
鍛造品を多工程成形するための油圧プレスであって、
ベッド、クラウン、及びアプライトからなるプレスフレームと、
第１の成形工程を行うための第１シリンダと、
前記第１の成形工程の後に第２の成形工程を行うための第２シリンダと、
前記第２の成形工程の後に第３の成形工程を行うための第３シリンダと、
前記第１シリンダにより前記プレスフレームに対してスライドする第１スライドと、
前記第２シリンダにより前記プレスフレームに対してスライドする第２スライドと、
前記第３シリンダにより前記プレスフレームに対してスライドする第３スライドと、
前記プレスフレームに設けられ、前記第１スライド、前記第２スライド、及び前記第３スライドのそれぞれをスライド可能にガイドするするスライドガイド部と、を備え、
前記スライドガイド部は、前記第１スライドをガイドするための第１ガイド面と、前記第２スライドをガイドするための第２ガイド面と、前記第３スライドをガイドするための第３ガイド面と、を有し、
前記第１ガイド面、前記第２ガイド面、及び第３ガイド面は、それぞれ異なる面である、
ことを特徴とする油圧プレス。
【請求項７】
前記スライドガイド部は、前記アプライトに取り付けられており、
前記第２スライドは、前記第１スライド及び前記第３スライドよりも大形であり、
前記第２ガイド面は、平面視した場合に、前記アプライトから当該油圧プレスの中心に向かう方向に対して平行となっている、
ことを特徴とする請求項６に記載の油圧プレス。
【手続補正２】
【補正対象書類名】明細書
【補正対象項目名】０００９
【補正方法】変更
【補正の内容】
【０００９】
第１発明の油圧プレスは、鍛造品を多工程成形するための油圧プレスであって、ベッドとクラウンの間をアプライトで連結したプレスフレームと、前記アプライトに取付けられたギブブロックと、前記クラウンに工程順に取付けられた第１サブシリンダ、第２メインシリンダ、第３サブシリンダと、前記第１サブシリンダに取付けられた第１サブスライド、前記第２メインシリンダに取付けられた第２メインスライド、前記第３サブシリンダに取付けられた第３サブスライドと、前記第１サブスライドをガイドする第１スライドガイドと、前記第２メインスライドをガイドする第２スライドガイドと、前記第３サブスライドをガイドする第３スライドガイドとを備えており、前記第２スライドガイドが、前記ギブブロックに設けたガイド部と前記第２メインスライドに設けたガイド部でガイドされるように構成され、前記第１スライドガイドが、プレス入側における前後のギブブロックに設けたガイド部と前記第１サブスライドに設けたガイド部とでガイドされるように構成され、前記第３スライドガイドが、プレス出側における前後のギブブロックに設けたガイド部と前記第３サブスライドに設けたガイド部とでガイドされるように構成されていることを特徴とする。
第２発明の油圧プレスは、第１発明において、第２スライドガイドは、第２メインスライドの四隅から左右方向に張出して形成されたガイド部を有しており、ギブブロック側のガイド部とで構成するガイド面が、プレス中心と各アプライト中心をつなぐ仮想線に対し略平行な面をもつ張出しＸ型ガイドであることを特徴とする。
第３発明の油圧プレスは、第１または第２発明において、前記第１スライドガイドおよび前記第３スライドガイドは、前記各サブスライドのプレス前後方向における両端部において、それぞれ外端面と該外端面に隣接する両側面の３面からガイドする６個のガイド部からなる対向Ｕ型６面ガイドであることを特徴とする。
第４発明の油圧プレスは、第１または第２発明において、前記プレス入側における前後２個のギブブロックおよび前記プレス出側における前後２個のギブブロックが、いずれも一体に構成されたものであり、前記第１スライドガイドおよび前記第３スライドガイドは、前記各サブスライドのプレス前後方向における両端部において、それぞれ外端面と該外端面に隣接する一側面の２面からガイドするガイド部と、前記各サブスライドのプレス前後方向に沿う他側面と前記ギブブロックとの間に設けたガイド部からなる対向５面ガイドであることを特徴とする。
第５発明の油圧プレスは、第２発明において、前記第１スライドガイドおよび前記第３スライドガイドは、前記各サブスライドのプレス前後方向における両端部において、それぞれ、前記第２スライドガイドにおける張出しＸ型ガイドのガイド面に平行なガイド面を有するガイド部と、該ガイド面に直角なガイド面を有するガイド部からなる対向Ｘ型４面ガイドであることを特徴とする。
第６発明の油圧プレスは、鍛造品を多工程成形するための油圧プレスであって、ベッド、クラウン、及びアプライトからなるプレスフレームと、第１の成形工程を行うための第１シリンダと、前記第１の成形工程の後に第２の成形工程を行うための第２シリンダと、前記第２の成形工程の後に第３の成形工程を行うための第３シリンダと、前記第１シリンダにより前記プレスフレームに対してスライドする第１スライドと、前記第２シリンダにより前記プレスフレームに対してスライドする第２スライドと、前記第３シリンダにより前記プレスフレームに対してスライドする第３スライドと、前記プレスフレームに設けられ、前記第１スライド、前記第２スライド、及び前記第３スライドのそれぞれをスライド可能にガイドするするスライドガイド部と、を備え、前記スライドガイド部は、前記第１スライドをガイドするための第１ガイド面と、前記第２スライドをガイドするための第２ガイド面と、前記第３スライドをガイドするための第３ガイド面と、を有し、前記第１ガイド面、前記第２ガイド面、及び第３ガイド面は、それぞれ異なる面であることを特徴とする。
第７発明の油圧プレスは、第６発明において、前記スライドガイド部は、前記アプライトに取り付けられており、前記第２スライドは、前記第１スライド及び前記第３スライドよりも大形であり、前記第２ガイド面は、平面視した場合に、前記アプライトから当該油圧プレスの中心に向かう方向に対して平行となっていることを特徴とする。